(57)【要約】  本発明の多数のアンプ及びスピーカー結合による共鳴と音像効果(sound image effect)を用いた音響装置に関するものであって、詳細には音源から電気信号を発生させる音源発生装置と、前記音源発生装置と連結されたＮ（Ｎは２以上の正の整数）個のアンプと、及び前記Ｎ個の各アンプの左／右出力それぞれに連結された２Ｎ個のスピーカーと、を含んで構成されて、前記Ｎ個のアンプから選択された一アンプの左／右出力それぞれに連結された２個のスピーカーによって生成される第１ステレオ音像と、前記Ｎ個のアンプそれぞれの左出力に連結されたＮ個のスピーカーによって生成される第１モノ音像と、前記Ｎ個のアンプそれぞれの右出力に連結されたＮ個のスピーカーによって生成される第２モノ音像と、及び前記第１モノ音像と前記第２モノ音像によって生成される第２ステレオ音像と、を含む多重音像が形成される特徴がある。【選択図】図１
2010537474.tif 000002
【特許請求の範囲】
【請求項１】
音源から電気信号を発生させる音源発生装置と、
前記音源発生装置と連結されたＮ（Ｎは２以上の正の整数）個のアンプと、及び
前記Ｎ個の各アンプの左／右出力それぞれに連結された２Ｎ個のスピーカーと、を含んで構成され、
前記Ｎ個のアンプから選択された一アンプの左／右出力それぞれに連結された２個のスピーカーによって生成される第１ステレオ音像と、
前記Ｎ個のアンプそれぞれの左出力に連結されたＮ個のスピーカーによって生成される第１モノ音像と、
前記Ｎ個のアンプそれぞれの右出力に連結されたＮ個のスピーカーによって生成される第２モノ音像と、及び
前記第１モノ音像と前記第２モノ音像によって生成される第２ステレオ音像と
を含む多重音像が形成されることを特徴とする多重アンプを用いた音響装置。
【請求項２】
前記音源発生装置の出力は前記Ｎ個のアンプから選択された単一のアンプの入力に連結され、
前記Ｎ個のアンプは一アンプの出力が他のアンプの入力に連結される直列型に連結されたことを特徴とする請求項１に記載の多重アンプを用いた音響装置。
【請求項３】
前記Ｎ個のアンプは前記音源発生装置の出力が前記Ｎ個のアンプそれぞれの入力に連結される並列型に連結されたことを特徴とする請求項１に記載の多重アンプを用いた音響装置。
【請求項４】
前記Ｎは２であり、前記４個のスピーカーは線形(linear)に配列されたことを特徴とする請求項１に記載の多重アンプを用いた音響装置。
【請求項５】
前記Ｎは２であり、前記４個のスピーカーは四角形(quadrangle)に配列されたことを特徴とする請求項１に記載の多重アンプを用いた音響装置。
【請求項６】
前記Ｎ個のアンプは互い独立的にボリューム、トレブル(treble)及びベース(base)が調節されることを特徴とする請求項２または３に記載の多重アンプを用いた音響装置。
【請求項７】
前記Ｎ個のアンプは真空管アンプ、トランジスターアンプ、またはこれらの組合で構成されたことを特徴とする請求項１に記載の多重アンプを用いた音響装置。
【請求項８】
前記２Ｎ個のスピーカーは密閉型スピーカー、開放型スピーカー、またはこれらの組合で構成されたことを特徴とする請求項１に記載の多重アンプを用いた音響装置。
【発明の詳細な説明】
【技術分野】
【０００１】
本発明は多数のアンプ及びスピーカーの結合による共鳴と音像効果(sound image effect)を用いた音響装置に関するのである。
【背景技術】
【０００２】
音の性質を規定する要素として音の高低(pitch)、音の強度(intensity)及び音色(tone color)を挙げられる。音の高低は音程と周波数(frequency)によって定められ、可聴周波数(20Hz〜20kHz)は通常的に低音役、中音役、高音役に分けられる。音のバランスが良いということは、低音役、中音役、高音役の音が片寄ることなく均一に聴き取れることを意味する。音の強度は音響装置のダイナミックレンジ(dynamic range)と係り、再生された音の小さな音と大きい音の差幅を意味し、音色は音のモード(mode)と倍音によって発生する。
【０００３】
音源からアナログ音波で音を再生する音響装置であって、音の立体感を実現するために１つのアンプと１組（２個）のスピーカーで構成されたステレオオーディオ、１つの多チャンネルアンプと３、４、５、６、８個のスピーカーで構成される２．１チャンネル、３．１チャンネル、４．１チャンネル、５．１チャンネル、７．１チャンネルオーディオシステム、または１つのオーディオ内部に複数の増幅回路を置いて出力周波数帯域別に高音、中音、低音用スピーカーをそれぞれ別途のアンプと連結し周波数帯域別に増幅するマルチアンプ方式などを挙げられる。
【０００４】
従来のステレオ方式または多チャンネル及びマルチアンプ方式らは、立体音響の具現に焦点を合わせているので立体感は優秀に再現できるが、周波数帯域別の音色を決定する高音、中音、低音をそれぞれ纎細に調整することができる機能がなく、１つの低音(Bass)と高音(treble)だけ調整することができるので、聴音者が望む音色を具現しにくい。すなわち、１つのアンプと１組のスピーカー(２個)で構成された既存のオーディオシステムの場合、ベース(Bass)とトレブル(Treble)を調整して低音と高音を調整する時、ベースを上げると低音は大きくなるが高音及び中音が相対的小くなり、反対にトレブルを上げると高音は大きくなるが低音及び中音が相対的に小くなるので、音の均衡が取りにくいので、音場感、迫力、そして密度感が劣る技術的な限界がある。多チャンネルアンプ及びマルチアンプ方式でも前記の技術的な限界が同様に存在する。
【０００５】
また、従来のオーディオシステムでは大きい音で音楽を聞くためにボリュームをあげると、アンプの信号対雑音比(SNR；signal to noise ratio)によって信号だけではなく雑音も大きくなるため全体的に音がうるさくなる技術的な問題がある。
【０００６】
また、従来のオーディオシステムは真空管アンプまたはトランジスターアンプの中から聴音者が望むアンプを取捨選択しなければならないし、スピーカーも密閉型スピーカーと開放型スピーカーの中から１つを選ばなければならないので、多様な音色の音を具現することができない。
【発明の概要】
【発明が解決しようとする課題】
【０００７】
上述した問題点らを解決するための本発明の目的は高音、中音、低音それぞれの音色が独立的に纎細に具現可能であり、低い信号対雑音比を有し、多様な音色の音を生成することができる音響装置を提供するものである。
【課題を解決するための手段】
【０００８】
本発明の多重アンプを用いた音響装置は音源から電気信号を発生させる音源発生装置と、前記音源発生装置と連結されたＮ（Ｎは２以上の正の整数）個のアンプと、及び前記Ｎ個の各アンプの左／右出力それぞれに連結された２Ｎ個のスピーカーと、を含んで構成され、前記Ｎ個のアンプから選択された一アンプの左／右出力それぞれに連結された２個のスピーカーによって生成される第１ステレオ音像と、前記Ｎ個のアンプそれぞれの左出力に連結されたＮ個のスピーカーによって生成される第１モノ音像と、前記Ｎ個のアンプそれぞれの右出力に連結されたＮ個のスピーカーによって生成される第２モノ音像と、及び前記第１モノ音像と前記第２モノ音像によって生成される第２ステレオ音像と、を含む多重音像が形成される特徴がある。
【０００９】
前記音源発生装置の出力は前記Ｎ個のアンプから選択された単一のアンプの入力に連結され、前記Ｎ個のアンプは一アンプの出力が他のアンプの入力に連結される直列型に連結された方が望ましい。
【００１０】
前記Ｎ個のアンプは前記音源発生装置の出力が前記Ｎ個のアンプそれぞれの入力に連結される並列型に連結された方が望ましい。
【００１１】
望ましく前記Ｎは２であり、前記４個のスピーカーは線形(linear)に配列される特徴がある。
【００１２】
望ましく前記Ｎは２であり、前記４個のスピーカーは四角形(quadrangle)に配列される特徴がある。この際、前記四角形は長方形または正方形であることが望ましい。
【００１３】
前記とように直列型または並列型に連結されたＮ個のアンプは互い独立的にボリューム、トレブル(treble)及びベース(base)が調節される特徴がある。
【００１４】
前記Ｎ個のアンプは真空管アンプ、トランジスターアンプ、またはこれらの組合で構成される方が望ましい。
【００１５】
前記２Ｎ個のスピーカーは密閉型スピーカー、開放型スピーカー、またはこれらの組合で構成される方が望ましい。
【発明の効果】
【００１６】
本発明の音響装置は２つ以上のアンプでベース、トレブル及びボリュームを独立的に調整して纎細な音色を具現すると同時に、音の共鳴による多重音像(Multiple Stereo Imaging)を生成して解像度、密度、音場感、そして迫力が豊かな音を低い雑音に具現する長所があり、音色が他のアンプら（真空管アンプとトランジスターアンプ）とスピーカーら（開放型スピーカーと密閉型スピーカー）を組み合わせて色々多様な音色の音を作り出すことができる長所がある。
【図面の簡単な説明】
【００１７】
【図１】本発明の多重アンプを用いた音響装置の一実施例であり、
【図２】本発明の多重アンプを用いた音響装置の他の実施例であり、
【図３】本発明の多重アンプを用いた音響装置の他の実施例であり、
【図４】本発明の多重アンプを用いた音響装置の他の実施例であり、
【図５】本発明の多重アンプを用いた音響装置の他の実施例である。
【発明を実施するための形態】
【００１８】
以下、添付の図面を参照して本発明の多重アンプを用いた音響装置を詳しく説明する。次に紹介される図面らは当業者に本発明の思想が充分に伝達できるようにするために、例として提供されるものである。したがって、本発明は以下提示される図面らに限定されず他の形態で具体化され得る。また、明細書全体にわたって同一の参照番号らは同一の構成要素らを示す。
【００１９】
この際、用いられる技術用語及び科学用語において他の正義がなければ、この発明が属する技術分野における通常の知識を有する者が通常的に理解している意味を有し、下記の説明及び添付図面において本発明の要旨を不明にするような不要な公知機能及び構成に対する説明は省く。
【００２０】
図１は、本発明の多重アンプを用いた音響装置の一実施例であって、互い独立的にボリューム、トレブル(treble)及びベース(base)が調節される２個のアンプ１２１、１２２が直列連結されて構成された音響装置の例である。図１に示されたように本発明の多重アンプを用いた音響装置はCD、DVD、MD、磁気記録媒体または貯蔵媒体に圧縮貯蔵されたデジタル音源（図示せず）から電気信号を発生させる音源発生装置１１０、前記音源発生装置１１０の出力を入力される第１アンプ１２１、前記第１アンプ１２１の出力を入力される第２アンプ１２２、前記第１アンプの左／右出力それぞれに連結された第１／第２スピーカー１３２、１３３及び前記第２アンプの左／右出力それぞれに連結された第３／第４スピーカー１３１、１３４を含んで構成される。
【００２１】
図１の実施例からわかるように前記４個のスピーカー１３１〜１３４が線形に配列されて従来の方式と同一に１つのアンプ１２１及び前記１つのアンプと連結された左／右スピーカー１３２、１３３で発生する音が共鳴を起こして生成される第１ステレオ音像(stereo imaging)１４０が生成されるのみならず、第２アンプ１２２の左側出力と連結された左側スピーカー１３１と第１アンプ１２１の左側出力と連結された左側スピーカー１３２で発生する音が共鳴を起こして生成される第１モノ音像(mono imaging)１５１、第２アンプ１２２の右側出力と連結された右側スピーカー１３４と第１アンプ１２１の右側出力と連結された右側スピーカー１３３で発生する音が共鳴を起こして生成される第２モノ音像(mono imaging)１５２及び共鳴によって形成された前記第１モノ音像１５１と前記第２モノ音像１５２とが互いに結合して第２ステレオ音像１６０が生成されるようになる。
【００２２】
したがって、図１の実施例のように２個のアンプ１２１、１２２及び前記２つのアンプ１２１、１２２の左／右出力にそれぞれ連結された４個のスピーカー１３１〜１３４によって互いに異なる位置に４個の音像（２個のステレオ音像及び２個のモノ音像）が形成されるので、音の解像度、音場感、迫力及び密度が明らかに向上するようになる。
【００２３】
また、聴音空間に多数の音像が大きく形成され、これによってそれぞれのアンプを小さなボリュームで動作させても全体的に大きい音を出すことができるので、全体システムの信号対雑音比(SNR)が向上して大きい音でも清くてきれいな音を聞くことができるようになる。
【００２４】
この際、前記２個のアンプ１２１、１２２は互い独立的にボリューム、トレブル(treble)及びベース(base)が調節されるので、音のバランスを維持し高音、中音、低音それぞれの音色が独立的に纎細に具現可能であり、聴音者の嗜好に合う音色の調整が容易になる。また、前記２個のアンプ１２１、１２２は真空管アンプ、トランジスターアンプ、またはこれらの組合で、前記４個のスピーカー１３１〜１３４は密閉型スピーカー、開放型スピーカー、またはこれらの組合で構成され、多様な音色の音を生成することができる長所を有するようになる。
【００２５】
実施例１のように２個のアンプ及び４個のスピーカーで具現される場合、アンプの種類の組合及びスピーカー種類の組合によって１６種の音色の音響を具現することができる。
【００２６】
図２は、本発明の多重アンプを用いた音響装置の他の実施例であって、互い独立的にボリューム、トレブル(treble)及びベース(base)が調節される２個のアンプ１２１、１２２が直列連結され、前記２つのアンプ１２１、１２２の左／右出力にそれぞれ連結された４個のスピーカー２３１、２３４が図１の実施例とは異なって四角形に配置された音響装置の例である。
【００２７】
図１の実施例において上述したものと類似するように図２の実施例においても１つのアンプ１２１及び前記１つのアンプと連結された左／右スピーカー２３１、２３３で発生する音が共鳴を起こして生成される第１ステレオ音像(stereo imaging)２４０、第２アンプ１２２の左側出力と連結された左側スピーカー２３２と第１アンプ１２１の左側出力と連結された左側スピーカー２３１で発生する音が共鳴を起こして生成される第１モノ音像(mono imaging)２５１、第２アンプ１２２の右側出力と連結された右側スピーカー２３４と第１アンプ１２１の右側出力と連結された右側スピーカー２３３で発生する音が共鳴を起こして生成される第２モノ音像(mono imaging)２５２及び共鳴によって形成された前記第１モノ音像２５１と前記第２モノ音像２５２が互いに結合して第２ステレオ音像２６０が生成されるようになる。図２の実施例によって生成された多数の音像２４０、２５１、２５２、２６０は、図１の実施例によって生成された多数の音像１４０、１５１、１５２、１６０よりさらに大きい楕円形を成して音像が形成されるようになる。
【００２８】
図１及び図２の実施例からわかるように、本発明によって多数のモノ音像及び多数のステレオ音像が生成されるようになるが、前記音像の位置はスピーカーの位置及び各スピーカーのボリュームによって調節可能であり、これは聴音場所の特性によって適切に調節されなければならないことは勿論である。
【００２９】
図３は、本発明の多重アンプを用いた音響装置の他の実施例であって、互い独立的にボリューム、トレブル(treble)及びベース(base)が調節される２個のアンプ３２１、３２２が並列連結され、前記２つのアンプ３２１、３２２の左／右出力にそれぞれ連結された４個のスピーカー３３１〜３３４が図２の実施例と類似して四角形に配置された音響装置の例である。
【００３０】
本発明の音響装置を構成する多数のアンプは、図１または図２の実施例のように、前段に構成されたアンプの出力が後段に構成されたアンプの入力に入力される直列型に構成され得るし、図３の実施例のように、音源発生装置１１０の出力が多数のアンプ３２１、３２２それぞれの入力に入力される並列型に構成され得る。多数のアンプが並列型に構成される場合にも各アンプは互い独立的にボリューム、トレブル(treble)及びベース(base)が調節可能であり、互い独立的に動作する多数のアンプが単一のケース３２０に備えられ得る。
【００３１】
図４は、本発明の多重アンプを用いた音響装置の他の一実施例であって、互い独立的にボリューム、トレブル(treble)及びベース(base)が調節されるＮ（Ｎは２以上の正の整数）個のアンプ（アンプ（１）〜アンプ（Ｎ））が直列連結されて構成された音響装置の例であり、図５は、本発明の多重アンプを用いた音響装置の他の一実施例であって、互い独立的にボリューム、トレブル(treble)及びベース(base)が調節されるＮ（Ｎは２以上の正の整数）個のアンプ（アンプ（１）〜アンプ（Ｎ））が並列連結されて構成された音響装置の例である。
【００３２】
図４乃至図５の実施例からわかるように、互い独立的にボリューム、トレブル(treble)及びベース(base)が調節されるＮ個のアンプ及び前記Ｎ個の各アンプの左／右出力に連結された総２Ｎ個の左／右スピーカーで構成される。図４乃至図５の実施例の場合にも各スピーカーで発生する音らの共鳴による多数のステレオ音像及び多数のモノ音像が生成され、前記多数のモノ音像によって多数のステレオ音像が生成されるので、野外公演場のような広い場所においても向上した解像度、音場感、迫力及び密度を有する音を再生することができるし、それぞれのアンプを小さいボリュームで動作させても全体的に大きい音を出すことができるので、広い空間においても大きい音で清くてきれいな音を聞くことができる。
【００３３】
また、互い独立的に調節される多数のアンプを図４の実施例のように直列型または図５の実施例のように並列型で構成し、小さい出力のアンプを複数用いて大型音響器機と同一性能を発揮することができるし、複数の小型アンプで大型高出力アンプの音量と豊かな音色を再現することができる長所を有するようになる。
【００３４】
以上のように本発明では具体的なスピーカーの位置のように特定された事項らと限定された実施例及び図面によって説明されたが、これは本発明のより全般的な理解を助けるために提供されたものであり、本発明は前記の実施例に限定されるものではないし、本発明が属する分野における通常の知識を有する者ならこのような記載から多様な修正及び変形が可能である。
【００３５】
したがって、本発明の思想は説明された実施例に限って定められてはいけないし、 本発明の特許請求の範囲のみならず、この特許請求の範囲と均等したり等価的変形がある全てのものらは本発明の思想の範疇に属すると言える。
【符号の説明】
【００３６】
１１０：音源発生装置
１２１、１２２、３２１、３２２：アンプ
１３１〜１３４、２３１〜２３４、３３１〜３３４：スピーカー
１４０、２４０：第１ステレオ音像
１５１、２５１：第１モノ音像
１５２、２５２：第２モノ音像
１６０、２６０：第２ステレオ音像
【図１】
2010537474.tif 000003
【図２】
2010537474.tif 000004
【図３】
2010537474.tif 000005
【図４】
2010537474.tif 000006
【図５】
2010537474.tif 000007
【国際調査報告】
2010537474.tif 000008
2010537474.tif 000009